(57)【要約】【課題】      おむつを交換するための作業が重労働にならずに容易に行え、上衣の背中部分に寄った皺を簡単に引延ばすことができ、おむつ交換時の患者の気恥ずかしさを軽減することができるような介護用パジャマを提供する。【解決手段】  上衣１とズボン２からなる介護用パジャマにおいて、上衣の前身頃１１の丈がウエスト・レングスであり、上衣の後身頃１２は着用者の大腿部まで達するように、前身頃の丈の１．５〜３倍の丈を有しており、ズボンは右足用部分と左足用部分とに完全に分離されており、右足用部分および左足用部分はそれぞれ筒状部２１と該筒状部に連続した平らな部分２２とからなり、前記筒状部は着用者の膝下を覆うための部分であり、前記平らな部分は着用者の腹部を覆うための部分であり、前記平らな部分および上衣の前身頃にはズボンと上衣とを着脱自在に連結するための連結具１８、２４が設けられている。【選択図】    図９
2006070379.tif 000002
【特許請求の範囲】
【請求項１】
上衣とズボンからなる介護用パジャマにおいて、上衣の前身頃の丈がウエスト・レングスであり、上衣の後身頃は着用者の大腿部まで達するように、前身頃の丈の１．５〜３倍の丈を有しており、ズボンは右足用部分と左足用部分とに完全に分離されており、右足用部分および左足用部分はそれぞれ筒状部と該筒状部に連続した平らな部分とからなり、前記筒状部は着用者の膝下を覆うための部分であり、前記平らな部分は着用者の腹部を覆うための部分であり、前記平らな部分および上衣の前身頃にはズボンと上衣とを着脱自在に連結するための連結具が設けられていることを特徴とする介護用パジャマ。
【請求項２】
前記ズボンを構成する右足用部分と左足用部分が同じ形状であり、前記筒状部と平らな部分とが左右対象であることを特徴とする請求項１に記載の介護用パジャマ。
【請求項３】
前記ズボンと上衣とを着脱自在に連結するための連結具が前記上衣の前身頃に設けられた２つのボタンと前記ズボンの平らな部分に設けられたボタン穴であることを特徴とする請求項１または請求項２に記載の介護用パジャマ。
【請求項４】
前記各平らな部分の上部にはそれぞれ３個のボタン穴が設けられていることを特徴とする請求項２または請求項３に記載の介護用パジャマ。
【請求項５】
前記上衣の後身頃と前記ズボンの各平らな部分とを着脱自在に連結するための連結具が、前記後身頃の側縁部と前記平らな部分の側縁部にそれぞれ設けられていることを特徴とする請求項１〜４の何れか１項に記載の介護用パジャマ。
【請求項６】
前記上衣の脇の下部分に開口が設けられていることを特徴とする請求項１〜５の何れか１項に記載の介護用パジャマ。
【請求項７】
前記上衣の袖付けが衿ぐりから脇の下にかけて斜めの切替線の入ったラグランスリーブであって、前身頃における前記切替線の一部が衿ぐり側から開くように形成されており、ボタンとボタン穴により開閉自在となっていることを特徴とする請求項１〜６の何れか１項に記載の介護用パジャマ。
【発明の詳細な説明】
【技術分野】
【０００１】
本発明はパジャマに関するものである。特に、本発明は病気や高齢のために身動きできず寝たきりになった人が着用するのに適しているパジャマに関するものである。
【背景技術】
【０００２】
従来、病気や高齢のため身動きができない状態で寝たきりとなっている人は、おむつを使用するのが一般的である。このような人には、着替えやおむつ交換が容易にできるようにするため寝間着（着物）を着せている。おむつの交換をするときは前を開けて交換すればよいのであるが、着物は前がはだけ易いため、車椅子に乗せて散歩をさせたい場合などは、着物のままでは前が開いてしまうため衣服に着替えさせる必要がある。しかし、身動きが自由にできない人に対して着替えさせることは非常に大変であるため、患者にとっても介護者にとっても億劫な作業であって、気軽に散歩に連れ出すことができなかった。
【０００３】
一方、普通のパジャマを着用させた場合は、車椅子に乗せて外出させることはすぐにできるが、おむつの交換が非常に大変である。すなわち、おむつを交換する場合は、パジャマのズボンを完全に脱がせなければならない。ズボンを途中まで下げた状態であると、ズボンに着用者の足が入っている。一方、ズボンはその股上部によって連結されている状態であり、このため自由に足を開くことができず、おむつの交換を容易に行うことができないからである。従って、ズボンを脱がせておむつの交換をし、その後、再びズボンをはかせる作業が必要である。しかも、ズボンをはかせた後、ズボンを腰の上まではかせなければならない。自由に身動きのできない人のズボンを脱がせる場合およびズボンを腰の上まではかせる場合、いずれも介護者が患者の腰を持ち上げることが必要である。しかし、自由に身動きのできない患者の腰を持ち上げることは介護する人にとっては非常に重労働である。しかも、ズボンの股上部を腰まで持ち上げた際に、パジャマの上衣に皺がよってしまう。この皺のよった状態で寝たきりの状態にすると、皺のよった部分により患者は不快に感じるとともに、その部分が押圧されて褥瘡（床ずれ）になったりする。
【０００４】
このような点を改良したものとして幾つかのパジャマが提案されている。例えば、特許文献１（特開平１１−０９３００６号公報）には、ファスナーにより上衣の前開部と左右のズボンの部分の前面が完全に開くようにするパジャマが提案されている。
【０００５】
特許文献２（特開平１１−１５２６１２号公報）においても同様に、ズボンの二股前面中央部がファスナーによって完全に開くようにすることが提案されている。
【０００６】
特許文献３（特開平７−２７８９１５号公報）には、パジャマのズボンとしてズボンの脇が着部の途中まで開くようにしたものが提案されている。
【０００７】
また、特許文献４（特開平８−１４４１１０号公報）には、ズボンを左右に分割した状態とし、腰のところをそれぞれ紐で巻付けて固定するようにしたものが提案されている。
【０００８】
【特許文献１】特開平１１−０９３００６号公報
【特許文献２】特開平１１−１５２６１２号公報
【特許文献３】特開平０７−２７８９１５号公報
【特許文献４】特開平０８−１４４１１０号公報
【発明の開示】
【発明が解決しようとする課題】
【０００９】
しかし、特許文献１および２に開示された従来技術のように前を開けたもの、或いは従来の寝間着や従来のパジャマなどにおいては、おむつ交換をする場合に下半身が足先まで完全にむき出しの状態となるので、患者としては何も覆うものがなくなり気恥ずかしい気分となってしまう。赤ちゃんのおむつ交換と同じような状態となってしまうので、気持に非常に抵抗感が生じるものである。
【００１０】
また、特許文献３に開示されているように、足の途中まで下ろしたものでは、部分的に足が覆われているので裸になったような気はしないが、ズボンが足に引掛かった状態のままであるので、介護する者にとってはおむつの交換が自由にできず、作業が非常に行い難いという点がある。
【００１１】
一方、特許文献４に開示されているように、左右に分割されたズボンにおいては、股上部を下げればおむつの交換はできるが、この股上部を下げたり、また再び股上部を腰部まで着せたりする際には、患者の体を持ち上げなければならないため、非常に重労働となってしまうものである。
【００１２】
本願の発明者は、このような問題を解決するために先に特願２００３−１０７３６０号において、上衣とズボンからなる介護用パジャマにおいて、上衣の前身頃の丈が後身頃よりも１５ｃｍ以上短く、後身頃の下端の中央には延長部が設けられており、該延長部の自由端部および上衣の前身頃に互いに係合可能な係止具が設けられ、ズボンは右足用部分と左足用部分とに完全に分離されており、右足用部分および左足用部分はそれぞれ筒状股下部と股上部とからなり、前記股上部は着用者の右側腹部または左側腹部を覆うための前側股上部を有するが、着用者の背中および臀部を覆うための部分が欠けており、前記股上部および上衣にはズボンと上衣とを着脱自在に連結するための連結具が設けられ、右足用部分の股上部と左足用部分の股上部とを着脱自在に連結する係止具が設けられていることを特徴とする介護用パジャマを提案した。
【００１３】
本発明は、この先願の発明と同じく、前述した従来技術の問題を解決し、おむつ交換が容易であり、しかも交換するための作業が重労働にならずに行え、患者にとっては足をズボンによって覆ったままとすることができ、患者の気恥ずかしさを軽減することができるようなパジャマを提供することを目的とする。
【００１４】
また、本発明の目的は、おむつの交換時などにも上衣には皺が寄らないように、上衣の背中部分に寄った皺を簡単に引延ばすことができるようにしたパジャマを提供することである。
【００１５】
そして、本発明は、上述した先願の発明を改良して、おむつ交換がより一層容易であり、しかも交換するための作業がより一層簡単であるようなパジャマを提供することを目的とする。
【課題を解決するための手段】
【００１６】
本発明は、上衣とズボンからなる介護用パジャマにおいて、上衣の前身頃の丈がウエスト・レングスであり、上衣の後身頃は着用者の大腿部まで達するように、前身頃の丈の１．５〜３倍の丈を有しており、ズボンは右足用部分と左足用部分とに完全に分離されており、右足用部分および左足用部分はそれぞれ筒状部と該筒状部に連続した平らな部分とからなり、前記筒状部は着用者の膝下を覆うための部分であり、前記平らな部分は着用者の腹部を覆うための部分であり、前記平らな部分および上衣の前身頃にはズボンと上衣とを着脱自在に連結するための連結具が設けられていることを特徴とする介護用パジャマにより前記目的を達成する。
【００１７】
特に、ズボンを構成する右足用部分と左足用部分が同じ形状とし、筒状部と平らな部分とを左右対象とすることが好ましい。
【００１８】
また、ズボンと上衣とを着脱自在に連結するための連結具を上衣の前身頃に設けられた２つのボタンとズボンの平らな部分に設けられたボタン穴とすることが、ズボンと上衣とを簡単に連結できるので好ましい。この場合、筒状部と平らな部分とを左右対象とした場合は、各平らな部分の上部にそれぞれ３個のボタン穴が設ければよい。
【００１９】
更に、上衣の後身頃とズボンの平らな部分とを着脱自在に連結するための連結具が、後身頃の側縁部と平らな部分の側縁部にそれぞれ設けられていることが好ましい。
【００２０】
更に、上衣の脇の下部分に開口が設けられていることが好ましい。
【００２１】
上衣の袖付けが衿ぐりから脇の下にかけて斜めの切替線の入ったラグランスリーブとし、前身頃における前記切替線の一部が衿ぐり側から開くように形成し、ボタンとボタン穴により開閉自在とすることが好ましい。
【００２２】
なお、本発明におけるウエスト・レングスとはウエストまでの長さのことを言い、この場合、本発明においてのウエストはアンダーバスト（ハイ・ウエスト）から腰骨まで（ロー・ウエスト）の間の部分を言い、一番くびれた細い部分のウエストラインよりも広い範囲を指している。
【発明の効果】
【００２３】
本発明のパジャマでは、おむつを交換するために患者の腰を持ち上げる必要はあるが、ズボンを脱ぎ着させるために患者を持ち上げる必要がないので、従来のパジャマのと比べて交換が極めて簡単に行える。特に、上衣の前身頃の丈がウエスト・レングスであるので、おむつの交換時にパジャマの前開きを開かなくても、或は一番下のボタンを外すだけでも、おむつを交換することができる。
【００２４】
本発明のパジャマを着用している人にとっては、おむつの交換時にも体の極く一部分がはだけた状態になるだけであり、しかも脚部は覆われた状態であるので、従来のように下半身全部が脱がされて大きく露出した状態になるものに比べて寒くもないし、また裸になってしまうとか、他人の目に晒されるいう不快さも大幅に低減される。
【００２５】
また、パジャマの背中部分に皺があると、床ずれ等の原因となったり、着用者の寝心地が悪くなるが、本発明によれば、上衣の後身頃は着用者の大腿部まで達するように長くしているので、後身頃の裾を下方に引っ張るだけで、背中部分の皺を簡単に取り除くことができる。
【００２６】
本発明によれば、ズボンを構成する右足用部分と左足用部分が同じ形状とし、筒状部と平らな部分とを左右対象とすると、介護者が患者にパジャマを着せる際にズボンの左右を区別する必要がないので、余計な心配をしないで手早く着せることができる。
【００２７】
本発明によれば、ズボンの股上部は左右の平らな部分を重ね合わせただけであるので、尿管カテーテル等を出す場合、中央でも左右サイドのどちらからも出すことができ、便利である。
【００２８】
また、上衣の脇の下部分に開口を設けると、この開口から肘を出し入れできるので、患者に負担をかけずに、着衣の交換をすばやく行うことができ、介護者の労力も軽減される。脇の下部分の開口があると、脇の下の清拭が簡単に行え、また、検温も容易にできる。
【００２９】
前身頃に袖付けの斜めの切替線の一部が衿ぐり側から開くように形成し、ボタンとボタン穴により開閉自在とすると、栄養補給などのためのチューブを簡単に出し入れでき、ボタンとボタン穴を使用することにより、ボタンとボタンの間からチューブを出すことができ、チューブがずれ難くなる。
【００３０】
更に、本発明のものは、着用時に通常のパジャマと同様に見えるパジャマである。すなわち、ズボンは膝のやや上方迄が筒状であり、その上は平らな状態の布で大腿部の前面、側面および腹部を覆い、上衣の後身頃を長くすることにより、大腿部の後面、背中および臀部を覆う。本発明のパジャマの着用者が車椅子に乗っている状態では車椅子により背中と臀部が隠れるので、通常のパジャマと同様に見える。そして、本発明のパジャマを着用した状態では、散歩するために車椅子に乗せても前がはだけたりしないので、患者にも介護者にも億劫な着替えを行う必要がなく、気楽に散歩に連れ出すことができる。
【００３１】
また、本発明のパジャマは筒状部に足を通すことが必要であるが、上衣の前開きおよびズボン部分を合わせるだけであるので、浴衣のような感覚で着用することができる。しかも、パジャマと同じ仕様であるので、患者を動かせる場合には、病室でのリハビリ時も着替えたりする必要がなく、本発明のパジャマを着用したまま躊躇なく行うことができる。
【発明を実施するための最良の形態】
【００３２】
以下、本発明を図示した実施例に基いて詳細に説明する。図１は本発明のパジャマの一実施例を平らに置いた状態における正面図、図２は図１に示したパジャマを平らに置いた状態における背面図である。図３は図１に示したパジャマの上衣のみの正面図であり、図３（ｂ）は肩の開きを示した状態を示す図３（ａ）と同様の正面図である。図４は図３に示したパジャマの上衣の背面図である。図５は図１に示したパジャマのズボンの片足部分の正面図であり、図６は図５に示したズボンの片足部分の背面図である。図７は図５、図６に示したズボンの片足を着用した状態を示した側面図である。
【００３３】
図１および図２に示すように、本発明のパジャマは上衣１とズボン２から構成されるものである。なお、図１においてズボン２の上部の側部分が２点鎖線で示されているが、この部分は図２に示すように、背面に回るものである。
【００３４】
図３に示すように、本発明の上衣１においては前身頃１１の丈が短く、この前身頃１１の丈はウエスト・レングス丈である。前身頃１１は前開きであり、図３に示した実施例においては、前開きがボタン１６ａとボタン穴１６ｂによって開閉できるようにしている。上衣１の前身頃１１の丈を短くすると、おむつの交換時にパジャマの前開きを完全に開かなくても交換することができる。特に、ウエストライン付近としておくと前身頃１１の前開きを全く開かなくてもおむつを交換することが可能である。
【００３５】
一方、上衣１の後身頃１２は少なくとも太腿まで達する長さであり、好ましくは膝まで達する長さとする。このようにパジャマの上衣１の後身頃１２を長くすることにより、背中、臀部および大腿部の後側を覆う。
【００３６】
上衣１には袖１３が付けられており、身頃１１、１２と袖１３との袖付けは衿ぐりから脇の下にかけて斜めの切替線１４の入ったラグランスリーブとすることが好ましく、このラグランスリーブの切替線１４の衿ぐり側の部分１４ａが開くように形成することが好ましい。そしてこの開くようにした部分１４ａにはボタン１５ａとボタン穴１５ｂを設けて、開いたり閉じたりすることができるようにする。このように前身頃１１の切替線１４の部分を開閉できるようにすると、この部分から医療用のチューブ（例えば、栄養補給用のチューブ）などを出すことができる。特に、この開閉部分をファスナーではなく、ボタンとボタン穴にすることにより、ボタンとボタンの間からチューブを出すことができ、チューブの位置がずれたりしないので好ましい。
【００３７】
また、図に示した実施例では脇の下の部分に開口１７が設けられている。この開口１７はパジャマの上衣１を患者に着せる際に、腕を通し易くすることができる。すなわち、開口１７のところに肘を出し入れすることにより上衣１の袖に腕を通したり、上衣を脱がしたりすることが容易に行える。
【００３８】
図１および図３に示すように、上衣１の前身頃１１には、ズボン２と連結するための連結具としてボタン１８が２つ設けられている。また、図２および図４に示すように、上衣１の後身頃１２の側縁にボタン１９が取付けられている。ボタン１９は上衣１とズボン２とを連結するための連結具の役割をしている。
【００３９】
本発明のパジャマのズボン２は右足と左足とが完全に分離されたものである。そして、図５および図６には、右足用部分にも左足用部分にも共通して使用できるように、左右対称の形状となった片足用部分が示されている。なお、図５および図６に示した実施例のように右足用部分と左足用部分を同形状として、左右何れの足にも着用できるようにすると、ズボンを履かせる際に区別する必要がないので好ましいが、必ずしも同形状でなくともよい。
【００４０】
図５〜図７に示すように、片足用部分は筒状部２１と、これに連続した平らな部分２２とから構成されるものである。図７に示した実施例においては、片足部分２は２枚の布からなり、１枚は上端から下端まで延びた布２ａと、着用したときに後側となる短かな布２ｂとから形成されており、布２ａと布２ｂの側縁が縫着されて布２ｂを縫着した部分が筒状部２１となる。また、図に示した実施例では、筒状部２１の下端部２３が袋状に折返されており、この部分にゴムが通されて窄められた状態となっている。
【００４１】
ズボン２の平らな部分２２はその上端部の幅が広く、筒状部２１に向かって幅が狭まった形状となっている。そして、上端部には上衣１のボタン１８と係合するためのボタン穴２４が３つ形成されており、このボタン穴２４は上衣１とズボン２とを連結するための連結具の役割をしている。ボタン穴２４が３つ形成されているのは左足用と右足用とを共通に使うためである。上衣１のボタン１８に係合させる位置をずらすことにより右足に利用したり或いは左足に利用したりすることができる。すなわち、筒状部２１を患者の右足（介護者から見ると左側の足）に履かせた場合は平らな部分２２の中央のボタン穴２４と正面から見て（すなわち介護者から見て向かって）左側のボタン穴２４を用いて上衣１の２つのボタン１８に連結し、筒状部２１を患者の左足（介護者から見ると右側の足）に履かせた場合は平らな部分２２の中央のボタン穴２４と正面から見て右側のボタン穴２４を用いて上衣１の２つのボタン１８に連結すればよい。
【００４２】
従って、上衣１の前身頃１１に取付けた２つのボタン１８にそれぞれ２枚の平らな部分２２のボタン穴２４が掛けられることになり、図１に示すように、ズボン２を構成する左右の片足部分の平らな部分２２が腹部の上で重なり合った状態となる。
【００４３】
また、ズボン２の平らな部分２２はその上端から少し下がった両側縁にボタン穴２５がそれぞれ設けられている。このボタン穴２５は上衣１の後身頃１２に設けられたボタン１９と係合するためのものであり、上衣１とズボン２とを連結するための連結具の役割をしている。
【００４４】
筒状部２１はズボンを着用した場合に、その上端が膝上に来るように、また腿のほぼ半分位までの長さになるようにすることが好ましい。すなわち、足の付け根まで筒状部があると、ズボンを履かせるのに手間取ること、および、おむつ交換のときに邪魔になったりすることがあるからである。
【００４５】
上衣１およびズボン２を着用した場合、筒状部２１の上縁２１ａが上衣１の後身頃１２の下端１２ａよりも上に位置し、後身頃１２と筒状部２１が重なり合うようにすることが好ましい。このようにすると肌が剥き出しにならず、直接シーツに触れたりすることがない。
【００４６】
図７では着用者が立った状態でズボン２を履いた状態を図示してるが、着用者が寝た状態では平らな部分２２の上部が幅広になっているため、、腿や臀部を殆ど覆い隠すことができる。また、上衣１の後身頃１２のボタン１９と平らな部分２２に設けたボタン穴２５とを係合することにより臀部や腿を完全に覆うことができる。なお、後身頃１２の両側縁のボタン１９は、このような位置にボタン１９を設けてもおむつがあるので、床ずれにはならない。また、後身頃１２のボタン１９とズボン２の平らな部分２２のボタン穴２５とを係合することにより、後身頃１２およびズボン２の平たい部分２２が傍に広がってしまうことを防ぐことができる。
【００４７】
図８は輪状の布の中にゴム紐を通したレッグリングの斜視図である。このレッグリング３は必ずしも必要ではないが、おむつを交換する際に患者の膝付近に嵌めて、ズボンが脱げないようにするために使用することが好ましい。
【００４８】
図９に基いておむつ交換のときの手順を説明する。図９（ａ）は本発明のパジャマを着用した状態であり、おむつ交換前の患者は図９（ａ）に示した状態で寝ている。図９（ａ）ではレッグリング３を足に嵌めている。
【００４９】
次に、図９（ｂ）に示すように、ボタン１８とボタン穴２４との係合およびボタン１９とボタン穴２５の係合を外し、上前となっている方の平らな部分２２（図示した実施例では右足側の平らな部分２２）を先ず下げる。
【００５０】
そして、図９（ｃ）に示すように、下前となっていた方の反対側の足部の平らな部分２２（実施例では左足側の平らな部分２２）も同様にボタン１８とボタン穴２４との係合およびボタン１９とボタン穴２５の係合を外し、平らな部分２２を下げる。
【００５１】
この状態で使用していたおむつ（図示せず）が見えるのでおむつを外し、新しいおむつに交換する。新しいおむつを着ける場合も、上衣１の前身頃１１がウエストレングスであって短いので、前開きを開けないか或いは大きく開けなくても簡単におむつを着けることができる。新しいおむつに交換した後、後身頃１２の裾１２ａを下方に引張ることにより、上衣１の後身頃１２に寄った皺を容易に取ることができる。
【００５２】
その後、再び図９（ｄ）に示すように、左足側の平らな部分２２のボタン穴２４および２５を上衣１の前身頃１１のボタン穴１８と後身頃１２のボタン１９に嵌める。そして、右足側の平らな部分２２を上げて再びボタン穴２４、２５をそれぞれ上衣１のボタン１８および１９に嵌める。このようにすると、図９（ａ）に示した状態に再びなる。
【図面の簡単な説明】
【００５３】
【図１】本発明のパジャマの一実施例を平らに置いた状態における正面図である。
【図２】図１に示したパジャマ平らに置いた状態における背面図である。
【図３】図１に示したパジャマの上衣のみの正面図であり、図３（ａ）は図１と同じ状態であり、図３（ｂ）は肩の開きを示した状態を示す正面図である。
【図４】図３に示したパジャマの上衣の背面図である。
【図５】図１に示したパジャマのズボンの片足部分の正面図である。
【図６】図５に示したズボンの片足部分の背面図である。
【図７】図５、図６に示したズボンの片足を着用した状態を示した側面図である。
【図８】レッグリングの斜視図である。
【図９】（ａ）〜（ｄ）は図１に示したパジャマを着用している状態でのおむつ交換時の手順を示す工程図である。
【符号の説明】
【００５４】
１  上衣
２  ズボン
３  レッグリング
１１  前身頃
１２  後身頃
１２ａ  後身頃の裾
１３  袖
１４  切替線
１４ａ  肩の開き部
１７  脇の下の開口
１８、１９  ボタン
２１  ズボンの筒状部
２２  ズボンの平らな部分
２４、２５  ボタン穴
【図１】
2006070379.tif 000003
【図２】
2006070379.tif 000004
【図３】
2006070379.tif 000005
【図４】
2006070379.tif 000006
【図５】
2006070379.tif 000007
【図６】
2006070379.tif 000008
【図７】
2006070379.tif 000009
【図８】
2006070379.tif 000010
【図９】
2006070379.tif 000011